(57)【特許請求の範囲】
【請求項１】
論理的な通信路である複数のパスを伝送される各パス信号を仮想的に連結して仮想連結グループを形成する伝送システムにおいて、
前記仮想連結グループのメンバパスのアクティブ状態とスタンバイ状態とを管理する管理手段と、
前記アクティブ状態にあるメンバパスのいずれかに異常があると、当該メンバパスの代わりに、前記スタンバイ状態にあるメンバパスのいずれかをアクティブ状態に制御する制御手段と、をそなえ、
該メンバパスのそれぞれは、現用と予備とに予め設定され、該制御手段は、現用のメンバパスのうち、前記スタンバイ状態にあるメンバパスがある場合には、前記現用のメンバパスのうちの前記スタンバイ状態にあるメンバパスのいずれかをアクティブ状態に制御し、前記現用のメンバパスのうち、前記スタンバイ状態にあるメンバパスがない場合には、前記予備のメンバパスのうちの前記スタンバイ状態にあるメンバパスのいずれかをアクティブ状態に制御することを特徴とする、伝送システム。
【請求項２】
論理的な通信路である複数のパスを伝送される各パス信号を仮想的に連結して仮想連結グループを形成し、送信側の伝送装置と前記送信側の伝送装置から前記パス信号を受信する受信側の伝送装置とをそなえる伝送システムにおいて、
前記仮想連結グループのメンバパスのアクティブ状態とスタンバイ状態とを管理する管理手段と、
前記アクティブ状態にあるメンバパスのいずれかに異常があると、当該メンバパスの代わりに、前記スタンバイ状態にあるメンバパスのいずれかをアクティブ状態に制御する制御手段と、をそなえ、
前記アクティブ状態は、link capacity adjustment scheme（ＬＣＡＳ）プロトコルにおけるメンバパスの状態通知情報としてＯＫを、前記送信側の伝送装置へ送信する状態であり、
前記スタンバイ状態は、前記メンバパスが正常か異常かに関わらず前記状態通知情報としてＦＡＩＬを前記送信側の伝送装置へ送信する状態である、
ことを特徴とする、伝送システム。
【請求項３】
論理的な通信路である複数のパスを伝送される各パス信号を仮想的に連結して仮想連結グループを形成する伝送システムにおけるパス制御方法であって、
前記仮想連結グループのメンバパスのアクティブ状態とスタンバイ状態とを管理し、
前記アクティブ状態にあるメンバパスのいずれかに異常があると、当該メンバパスの代わりに、前記スタンバイ状態にあるメンバパスのいずれかをアクティブ状態に制御し、
該メンバパスのそれぞれは、現用と予備とに予め設定され、現用のメンバパスのうち、前記スタンバイ状態にあるメンバパスがある場合には、前記現用のメンバパスのうちの前記スタンバイ状態にあるメンバパスのいずれかをアクティブ状態に制御し、前記現用のメンバパスのうち、前記スタンバイ状態にあるメンバパスがない場合には、前記予備のメンバパスのうちの前記スタンバイ状態にあるメンバパスのいずれかをアクティブ状態に制御することを特徴とする、パス制御方法。
【請求項４】
論理的な通信路である複数のパスを伝送される各パス信号を仮想的に連結して仮想連結グループを形成し、送信側の伝送装置と前記送信側の伝送装置から前記パス信号を受信する受信側の伝送装置とをそなえる伝送システムにおけるパス制御方法であって、
前記仮想連結グループのメンバパスのアクティブ状態とスタンバイ状態とを管理し、
前記アクティブ状態にあるメンバパスのいずれかに異常があると、当該メンバパスの代わりに、前記スタンバイ状態にあるメンバパスのいずれかをアクティブ状態に制御し、
前記アクティブ状態は、link capacity adjustment scheme（ＬＣＡＳ）プロトコルにおけるメンバパスの状態通知情報としてＯＫを、前記送信側の伝送装置へ送信する状態であり、
前記スタンバイ状態は、前記メンバパスが正常か異常かに関わらず前記状態通知情報としてＦＡＩＬを前記送信側の伝送装置へ送信する状態である、
ことを特徴とする、パス制御方法。
【請求項５】
論理的な通信路である複数のパスを伝送される各パス信号を仮想的に連結して仮想連結グループを形成する送信側の伝送装置から前記パス信号を受信する受信側の伝送装置であって、
前記仮想連結グループのメンバパスのアクティブ状態とスタンバイ状態とを管理する管理手段と、
前記アクティブ状態にあるメンバパスのいずれかに異常があると、当該メンバパスの代わりに、前記スタンバイ状態にあるメンバパスのいずれかをアクティブ状態に制御する制御手段と、をそなえ、
該メンバパスのそれぞれは、現用と予備とに予め設定され、該制御手段は、現用のメンバパスのうち、前記スタンバイ状態にあるメンバパスがある場合には、前記現用のメンバパスのうちの前記スタンバイ状態にあるメンバパスのいずれかをアクティブ状態に制御し、前記現用のメンバパスのうち、前記スタンバイ状態にあるメンバパスがない場合には、前記予備のメンバパスのうちの前記スタンバイ状態にあるメンバパスのいずれかをアクティブ状態に制御することを特徴とする、伝送装置。
【請求項６】
論理的な通信路である複数のパスを伝送される各パス信号を仮想的に連結して仮想連結グループを形成する送信側の伝送装置から前記パス信号を受信する受信側の伝送装置であって、
前記仮想連結グループのメンバパスのアクティブ状態とスタンバイ状態とを管理する管理手段と、
前記アクティブ状態にあるメンバパスのいずれかに異常があると、当該メンバパスの代わりに、前記スタンバイ状態にあるメンバパスのいずれかをアクティブ状態に制御する制御手段と、をそなえ、
前記アクティブ状態は、link capacity adjustment scheme（ＬＣＡＳ）プロトコルにおけるメンバパスの状態通知情報としてＯＫを、前記送信側の伝送装置へ送信する状態であり、
前記スタンバイ状態は、前記メンバパスが正常か異常かに関わらず前記状態通知情報としてＦＡＩＬを前記送信側の伝送装置へ送信する状態である、
ことを特徴とする、伝送装置。
【請求項７】
前記制御手段は、
前記アクティブ状態のメンバパス数が前記異常の発生前後で一定数となるように前記制御を実施する、ことを特徴とする、請求項５又は６に記載の伝送装置。
【請求項８】
前記管理手段は、
前記アクティブ状態にあるメンバパスに関して、前記送信側の伝送装置から、パス障害の発生を示す情報を受信せず、かつ、link capacity adjustment scheme（ＬＣＡＳ）プ
ロトコルにおける、ＡＤＤ又はＮＯＲＭ又はＥＯＳコマンドを受信していることをもって、前記アクティブ状態のメンバパスの正常性を確認する、ことを特徴とする、請求項５〜７のいずれか１項に記載の伝送装置。
【請求項９】
前記管理手段は、
前記スタンバイ状態にあるメンバパスに関して、前記送信側の伝送装置から、パス障害の発生を示す情報を受信せず、かつ、link capacity adjustment scheme（ＬＣＡＳ）プ
ロトコルにおける、ＡＤＤ又はＤＮＵコマンドを受信していることをもって、前記スタンバイ状態のメンバパスの正常性を確認する、ことを特徴とする、請求項５〜８のいずれか１項に記載の伝送装置。
【発明の詳細な説明】
【技術分野】
【０００１】
本件は、伝送システム、パス制御方法及び伝送装置に関する。本件は、例えば、Synchronous Optical Network（ＳＯＮＥＴ）やSynchronous Digital Hierarchy（ＳＤＨ）（以下、ＳＯＮＥＴ／ＳＤＨと表記する）の伝送装置およびその周辺技術に用いられる場合がある。
【背景技術】
【０００２】
ＳＯＮＥＴ／ＳＤＨに準拠するネットワークに、イーサネット（登録商標）信号などのデータ信号を効率的に収容する技術の一つとして、virtual concatenation（ＶＣＡＴ）技術が知られている。
【０００３】
ＶＣＡＴ技術によると、任意数のＳＯＮＥＴ／ＳＤＨパスを仮想的に連結（コンカチネーション）することで、ＳＯＮＥＴ／ＳＤＨパスの伝送帯域の任意倍数の伝送帯域のＶＣＡＴ信号を生成することができる。これにより、様々なデータレートの信号をＳＯＮＥＴ／ＳＤＨのネットワークに透過的（トランスペアレント）に伝送することが可能となる。
【０００４】
また、ＶＣＡＴのグループ（virtual concatenation group：ＶＣＧ）のサイズ（伝送帯域）をヒットレスに（障害なく）動的に調整可能な技術の一つとして、link capacity adjustment scheme（ＬＣＡＳ）も知られている。
【０００５】
なお、ＶＣＡＴは、International Telecommunication Union Telecommunication Standardization Sector（ITU-T） recommendation G.707により規定されており、ＬＣＡＳは、ITU-T recommendation G.7042により規定されている。
【特許文献１】特開２００４−３２０６１号公報
【非特許文献１】ITU-T recommendation G.707、“Network node interface for the synchronous digital hierarchy (SDH)”、［online］、平成１９年１月、ITU-T、［平成２０年４月７日検索］、インターネット〈URL：http://www.itu.int/rec/T-REC-G.707/en〉
【非特許文献２】ITU-T recommendation G.7042、“Link capacity adjustment scheme (LCAS) for virtual concatenated signals”、［online］、平成１８年３月、ITU-T、［平成２０年４月７日検索］、インターネット〈URL：http://www.itu.int/rec/T-REC-G.7042/en〉
【発明の開示】
【発明が解決しようとする課題】
【０００６】
従来の技術では、ＶＣＧメンバパスに障害が発生した場合、ＬＣＡＳプロトコルを使用して、障害の発生したＶＣＧメンバパスを運用メンバから外し、残りのＶＣＧメンバパスで運用することができるに留まる。
【０００７】
また、パスレベルの冗長化を行なう場合も、予め現用及び予備として固定的に設定されたＶＣＧメンバパス間の切り替えを可能にするに留まる。
本件の目的の一つは、より柔軟で効率的なパスレベルの冗長化を実現することにある。
【０００８】
なお、前記目的に限らず、後述する実施形態に示す各構成により導かれる作用効果であって、従来の技術によっては得られない作用効果を奏することも本件の他の目的の一つとして位置付けることができる。
【課題を解決するための手段】
【０００９】
例えば、以下の手段を用いる。
（１）論理的な通信路である複数のパスを伝送される各パス信号を仮想的に連結して仮想連結グループを形成する伝送システムにおいて、前記仮想連結グループのメンバパスのアクティブ状態とスタンバイ状態とを管理する管理手段と、前記アクティブ状態にあるメンバパスのいずれかに異常があると、当該メンバパスの代わりに、前記スタンバイ状態にあるメンバパスのいずれかをアクティブ状態に制御する制御手段と、をそなえ、該メンバパスのそれぞれは、現用と予備とに予め設定され、該制御手段は、現用のメンバパスのうち、前記スタンバイ状態にあるメンバパスがある場合には、前記現用のメンバパスのうちの前記スタンバイ状態にあるメンバパスのいずれかをアクティブ状態に制御し、前記現用のメンバパスのうち、前記スタンバイ状態にあるメンバパスがない場合には、前記予備のメンバパスのうちの前記スタンバイ状態にあるメンバパスのいずれかをアクティブ状態に制御する、伝送システムを用いることができる。
（２）論理的な通信路である複数のパスを伝送される各パス信号を仮想的に連結して仮想連結グループを形成し、送信側の伝送装置と前記送信側の伝送装置から前記パス信号を受信する受信側の伝送装置とをそなえる伝送システムにおいて、前記仮想連結グループのメンバパスのアクティブ状態とスタンバイ状態とを管理する管理手段と、前記アクティブ状態にあるメンバパスのいずれかに異常があると、当該メンバパスの代わりに、前記スタンバイ状態にあるメンバパスのいずれかをアクティブ状態に制御する制御手段と、をそなえ、前記アクティブ状態は、link capacity adjustment scheme（ＬＣＡＳ）プロトコルにおけるメンバパスの状態通知情報としてＯＫを、前記送信側の伝送装置へ送信する状態であり、前記スタンバイ状態は、前記メンバパスが正常か異常かに関わらず前記状態通知情報としてＦＡＩＬを前記送信側の伝送装置へ送信する状態である、伝送システムを用いることができる。
【００１０】
（３）論理的な通信路である複数のパスを伝送される各パス信号を仮想的に連結して仮想連結グループを形成する伝送システムにおけるパス制御方法であって、前記仮想連結グループのメンバパスのアクティブ状態とスタンバイ状態とを管理し、前記アクティブ状態にあるメンバパスのいずれかに異常があると、当該メンバパスの代わりに、前記スタンバイ状態にあるメンバパスのいずれかをアクティブ状態に制御し、該メンバパスのそれぞれは、現用と予備とに予め設定され、現用のメンバパスのうち、前記スタンバイ状態にあるメンバパスがある場合には、前記現用のメンバパスのうちの前記スタンバイ状態にあるメンバパスのいずれかをアクティブ状態に制御し、前記現用のメンバパスのうち、前記スタンバイ状態にあるメンバパスがない場合には、前記予備のメンバパスのうちの前記スタンバイ状態にあるメンバパスのいずれかをアクティブ状態に制御する、パス制御方法を用いることができる。
（４）論理的な通信路である複数のパスを伝送される各パス信号を仮想的に連結して仮想連結グループを形成し、送信側の伝送装置と前記送信側の伝送装置から前記パス信号を受信する受信側の伝送装置とをそなえる伝送システムにおけるパス制御方法であって、前記仮想連結グループのメンバパスのアクティブ状態とスタンバイ状態とを管理し、前記アクティブ状態にあるメンバパスのいずれかに異常があると、当該メンバパスの代わりに、前記スタンバイ状態にあるメンバパスのいずれかをアクティブ状態に制御し、前記アクティブ状態は、link capacity adjustment scheme（ＬＣＡＳ）プロトコルにおけるメンバパスの状態通知情報としてＯＫを、前記送信側の伝送装置へ送信する状態であり、前記スタンバイ状態は、前記メンバパスが正常か異常かに関わらず前記状態通知情報としてＦＡＩＬを前記送信側の伝送装置へ送信する状態である、パス制御方法を用いることができる。
【００１１】
（５）論理的な通信路である複数のパスを伝送される各パス信号を仮想的に連結して仮想連結グループを形成する送信側の伝送装置から前記パス信号を受信する受信側の伝送装置であって、前記仮想連結グループのメンバパスのアクティブ状態とスタンバイ状態とを管理する管理手段と、前記アクティブ状態にあるメンバパスのいずれかに異常があると、当該メンバパスの代わりに、前記スタンバイ状態にあるメンバパスのいずれかをアクティブ状態に制御する制御手段と、をそなえ、該メンバパスのそれぞれは、現用と予備とに予め設定され、該制御手段は、現用のメンバパスのうち、前記スタンバイ状態にあるメンバパスがある場合には、前記現用のメンバパスのうちの前記スタンバイ状態にあるメンバパスのいずれかをアクティブ状態に制御し、前記現用のメンバパスのうち、前記スタンバイ状態にあるメンバパスがない場合には、前記予備のメンバパスのうちの前記スタンバイ状態にあるメンバパスのいずれかをアクティブ状態に制御する、伝送装置を用いることができる。
（６）論理的な通信路である複数のパスを伝送される各パス信号を仮想的に連結して仮想連結グループを形成する送信側の伝送装置から前記パス信号を受信する受信側の伝送装置であって、前記仮想連結グループのメンバパスのアクティブ状態とスタンバイ状態とを管理する管理手段と、前記アクティブ状態にあるメンバパスのいずれかに異常があると、当該メンバパスの代わりに、前記スタンバイ状態にあるメンバパスのいずれかをアクティブ状態に制御する制御手段と、をそなえ、前記アクティブ状態は、link capacity adjustment scheme（ＬＣＡＳ）プロトコルにおけるメンバパスの状態通知情報としてＯＫを、前記送信側の伝送装置へ送信する状態であり、前記スタンバイ状態は、前記メンバパスが正常か異常かに関わらず前記状態通知情報としてＦＡＩＬを前記送信側の伝送装置へ送信する状態である、伝送装置を用いることができる。
【発明の効果】
【００１２】
開示の技術によれば、より柔軟で効率的なパスレベルの冗長化を実現することが可能となる。
【発明を実施するための最良の形態】
【００１３】
以下、図面を参照して実施の形態を説明する。ただし、以下に説明する実施形態は、あくまでも例示であり、以下に明示しない種々の変形や技術の適用を排除する意図はない。即ち、本実施形態は、その趣旨を逸脱しない範囲で種々変形（各実施例を組み合わせる等）して実施することができる。
【００１４】
〔１〕一実施形態
図１に、伝送装置の一例としてのノード１０，２０間において送受信されるＬＣＡＳプロトコルにおける制御情報の一例を示す。なお、ノード１０，２０は、例えばＳＤＨ／ＳＯＮＥＴにおける伝送装置である。ノード１０，２０間は光伝送路などの通信路を介して相互に双方向の通信が可能である。送信ノード１０（又は２０）は“source”と呼ばれ、受信ノード２０（又は１０）は“sink”と呼ばれる。
【００１５】
ＬＣＡＳの制御情報は、ＳＤＨ／ＳＯＮＥＴにおいてはパス信号のオーバヘッド（パスオーバヘッド）（例えば、Ｈ４バイト）に設定することができる。ＳＤＨにおけるパス信号は例えばvirtual container（ＶＣ）信号に相当し、ＳＯＮＥＴにおけるパス信号はsynchronous transport signal（ＳＴＳ）信号に相当する。このようなパス信号は、ＳＤＨ／ＳＯＮＥＴの伝送フレームのペイロード（ＳＰＥ：Synchronous Payload Envelope）にマッピングされる。ＶＣＡＴは、このような複数のパス信号を仮想的に連結してＳＰＥにマッピングする。
【００１６】
送信ノード（source）から受信ノード（sink）への方向（フォワード方向）に伝送される制御情報には、図１中に例示するように、multi-frame indicator（ＭＦＩ）、sequence indicatror（ＳＱ）、control（ＣＴＲＬ）、group indicator（ＧＩＤ）、cyclic redundancy check code（ＣＲＣ）などがある。
【００１７】
ＭＦＩは、送信側においては、ＶＣＧメンバのパスに共通で、例えば送信フレーム毎にインクリメントされる番号情報である。このＭＦＩは、受信側においては、ＶＣＧメンバパス毎の時間差を吸収（differential delayを決定）し、ＶＣＧメンバパスのペイロードデータを復元するのに用いられる。
【００１８】
ＳＱは、シーケンス番号であり、同じＶＣＧに属するメンバパスには同じシーケンス番号が割り当てられる。ただし、ＣＴＲＬ＝Idleを送信しているメンバパスのＳＱは有効ではない。ＶＣＧから削除されているメンバパスについては、ＣＴＲＬ＝ＥＯＳ（End Of Sequence）のＳＱよりも大きな値が設定される。
【００１９】
ＣＴＲＬは、送信側から受信側への情報伝達（状態通知）や、送信側と受信側との同期のために用いられる。ＣＴＲＬには、ＡＤＤコマンド、ＮＯＲＭコマンド、ＥＯＳコマンド、ＩＤＬＥコマンド、ＤＮＵ（Do Not Use）コマンドなどがある。
【００２０】
ＡＤＤコマンドは、メンバパスをＶＣＧに追加しようとしていることを表すコマンドであり、ＮＯＲＭコマンドは、通常の送信状態（normal）であることを表すコマンドである。ＥＯＳコマンドは、シーケンスの終わり（end of sequence）及び通常の送信状態であることを表すコマンドであり、ＩＤＬＥコマンドは、該当メンバパスがＶＣＧに含まれない、あるいは削除されようとしていることを表すコマンドである。ＤＮＵコマンドは、ペイロードが未使用であり、かつ、回線障害（ＦＡＩＬ）であることを表すコマンドである。
ＧＩＤは、ＶＣＧの識別のために用いられる情報であり、例えば擬似乱数が用いられる。同一ＶＣＧの各メンバパスには同じＧＩＤが割り当てられる。
【００２１】
ＣＲＣは、仮想連結オーバヘッドの変化を確認するのに用いられる。
一方、受信側から送信側への方向（リターン方向）に伝送される制御パケットの制御情報としては、例えば、member status（ＭＳＴ）やre-sequence acknowledge（ＲＳ−Ａｃｋ）などがある。
【００２２】
ＭＳＴは、ＶＣＧメンバパスの状態を表す情報である。ＭＳＴには、ＯＫとＦＡＩＬの２つの状態がある。受信側は送信側から受信したＳＱとともにＭＳＴを送信側に送信する。受信ＣＴＲＬ＝ＩＤＬＥ又はＤＮＵの場合は、ＭＳＴ＝ＦＡＩＬを送信する。受信ＣＴＲＬ＝ＡＤＤ又はＮＯＲＭ又はＥＯＳの場合は、ＭＳＴ＝ＯＫを送信する。
【００２３】
ＲＳ−Ａｃｋは、受信側で状態変化を検出したら、送信側に対して、ＲＳ−Ａｃｋビットを（０→１→０）の繰り返しとすることで、状態変化の検出を通知する。送信側は、ＲＳ−Ａｃｋを受信すると、次に送るべきＭＳＴの送信を開始する。
【００２４】
以上のようなＬＣＡＳプロトコルを利用して、本例においては、運用中のＶＣＧメンバパスのいずれかにパス異常が発生した場合に、パス異常の発生したメンバパスの代わりに、他の非運用状態のＶＣＧメンバパスを運用（アクティブ）状態として補填可能にする。これにより、パス障害発生前後で運用帯域が大きく変動（増減）することを防ぐことが可能となる。
【００２５】
なお、「パス異常」には、ＳＯＮＥＴ／ＳＤＨパスそのものに障害が発生している場合、パス信号の品質劣化等により受信エラーが生じている場合、ＬＣＡＳプロトコル通信の異常などが含まれる。以下では、ＳＯＮＥＴ／ＳＤＨパスそのものに障害が発生している場合を特に「パス障害」と称し、他のパス異常とは区別することがある。
【００２６】
前記補填に用いる非運用状態のメンバパスは、予め予備（プロテクション）のメンバパスとして設定されるプロテクションメンバパスのいずれかとしてもよいし、予め現用（ワーク）のメンバパスとして設定されるワークメンバパスのいずれかとしてもよい。
【００２７】
例えば、ワークメンバパス及びプロテクションメンバパスのいずれについても、運用中あるいは使用可能な状態を意味するアクティブ（ＡＣＴ）状態と、それら以外の非運用状態（待機状態）を意味するスタンバイ（ＳＴＢＹ）状態とを定義、管理する。そして、前記補填には、当初のワーク／プロテクション設定（ワークメンバパス及びプロテクションメンバパスか）に関わらず、ＳＴＢＹ状態にあるパスを前記補填の対象とすることができる。
【００２８】
これにより、ＶＣＧメンバパスはワーク／プロテクション設定に固定されないから、自由（柔軟）な組み合わせでの冗長化を図ることができ、ネットワーク構成に応じた最適な効率での冗長化が可能となる。なお、ＳＴＢＹ状態に関しても、正常なＳＴＢＹ状態と、異常なＳＴＢＹ状態とを定義（判定）して、前記補填には、異常なＳＴＢＹ状態にあるメンバパスは除外して、正常なＳＴＢＹ状態にあるメンバパスを用いることとすることも可能である。
【００２９】
前記ＡＣＴ／ＳＴＢＹ状態のメンバパス数の設定（初期設定）は、例えば、図示を省略したnetwork management system（ＮＭＳ）等の上位装置が行なうこともできるし、ノード１０，２０が初期立上げ時等において自律的に行なうことも可能である。その設定の基準は、ワーク／プロテクションメンバ数の設定値とすることができる。その際、ワーク／プロテクションメンバパスのいずれを優先的にＡＣＴ状態への制御対象とするかを設定することもできる。また、当該設定は、例えば、前記上位装置から適宜に変更することも可能である。
【００３０】
一例を図２、図３に示す。なお、以降の説明において、ノード１０を送信側（source）、ノード２０を受信側（sink）と仮定する。ただし、ノード２０が送信側（source）、ノード１０が受信側（sink）である場合も以降の説明と同様である。
【００３１】
図２に例示するように、ノード１０，２０間に、通常運用時のワークメンバパスとしてｘメンバ分（ｘは自然数）のパス、通常運用時のプロテクションメンバパスとしてｙメンバ分（ｙは自然数であり、ｙ＝ｘでもよい）のパス（ＳＯＮＥＴ／ＳＤＨパス）、をそれぞれ構築（仮設定）する。
【００３２】
そして、図３に例示するように、ワークメンバパスのうちｘメンバ分の運用中のメンバパスのいずれか１又は複数（例えば、ｚメンバと仮定する）にパス異常が発生したと仮定する。この場合は、ＳＴＢＹ状態にあるメンバパス（例えば、プロテクションメンバパス）のいずれかｚメンバ分を、ＡＣＴ状態のメンバパスとして運用メンバパスに補填する。これにより、パス異常発生前と同じ運用メンバパス数での運用継続が可能となり、パス異常発生前後で運用帯域が変動（増減）することを防ぐことできる。また、ｘ：ｙ（１≦ｙ≦ｘ）という自由な組み合わせでのＶＣＧメンバパスの冗長化を図ることができる。
【００３３】
以上のようなメンバパスのＡＣＴ／ＳＴＢＹ状態の制御を実施する場合に、ノード１０，２０間で送受信するＬＣＡＳプロトコルの制御情報（ＣＴＲＬ、ＭＳＴ）の一例を、図４、図５に示す。
【００３４】
まず、初期設定の一例として、ノード１０，２０間に、ｘメンバ分のワークメンバパスを設定する場合、送信側ノード１０は、ＬＣＡＳプロトコルに基づき、ワークメンバパスに設定するパスの追加を示す制御情報（ＣＴＲＬ＝ＡＤＤ）を該当のパス信号に設定して、ノード２０に送信する。
【００３５】
また、初期設定の一例として、ｙメンバ分のプロテクションメンバパスを設定する場合には、送信側ノード１０は、プロテクションメンバパスに設定するパスについて未使用を示す制御情報（ＣＴＲＬ＝ＤＮＵ）を該当のパス信号に設定して、受信側ノード２０に送信する。
【００３６】
そして、通常運用時において、ＳＯＮＥＴ／ＳＤＨパスにパス障害が発生していなければ、送信側ノード１０は、ｘメンバ分のワークメンバパスのうち運用中のパス（ＡＣＴ状態のメンバパス）についてＣＴＲＬ＝ＮＯＲＭ又はＥＯＳを送信（設定）する。また、ＳＴＢＹ状態のメンバパスについては、ＣＴＲＬ＝ＤＮＵを送信（設定）する。
【００３７】
したがって、ＳＯＮＥＴ／ＳＤＨパスにパス障害が発生していない場合、ＡＣＴ状態のメンバパス（ＡＣＴメンバパス）については、ＣＴＲＬ＝ＡＤＤ又はＮＯＲＭ又はＥＯＳを受信していることが、当該ＡＣＴメンバパスの正常判定条件である。
【００３８】
これに対し、ＳＴＢＹ状態のメンバパス（ＳＴＢＹメンバパス）については、ＳＯＮＥＴ／ＳＤＨパスにパス障害が発生していない場合、ＣＴＲＬ＝ＡＤＤ又はＤＮＵを受信していることが、当該ＳＴＢＹメンバパスの正常判定条件である。
【００３９】
そこで、受信側ノード２０は、ＳＯＮＥＴパスのパス障害を表す情報の受信の有無と、ＬＣＡＳプロトコルにおける受信制御情報（ＣＴＲＬ）とを監視することで、前記正常判定条件に従い、ＡＣＴメンバパス及びＳＴＢＹメンバパスそれぞれの正常性を確認することができる。
【００４０】
そして、ＳＯＮＥＴ／ＳＤＨパスにパス障害が発生すると、該当メンバパスの状態は異常ＳＴＢＹ状態となり、受信側ノード２０では、当該メンバパスに関してＭＳＴ＝ＦＡＩＬを送信側ノード１０に送信する。
【００４１】
また、ＳＯＮＥＴ／ＳＤＨパスにパス障害が発生していない状態において、ＡＣＴメンバパスの正常性を確認できた場合はＡＣＴ状態となる。この場合、受信側ノード２０は、当該ＡＣＴメンバパスに関してＭＳＴ＝ＯＫを送信側ノード１０へ送信する。
【００４２】
ＳＯＮＥＴ／ＳＤＨパスにパス障害が発生していない場合に、ＡＣＴメンバパスの正常性を確認できない場合、あるいは所定時間継続して正常性を確認できない場合は、異常ＳＴＢＹ状態となる。この場合、受信側ノード２０は、当該メンバパスに関してＭＳＴ＝ＦＡＩＬを送信側ノード１０へ送信する。
【００４３】
ＳＴＢＹメンバパスの正常性を確認できた場合は正常ＳＴＢＹ状態となり、受信側ノード２０は、当該ＳＴＢＹメンバパスに関してＭＳＴ＝ＦＡＩＬを送信側ノード１０へ送信する。ＳＴＢＹメンバパスの正常性が確認できない場合、あるいは、所定時間継続して正常性を確認できない場合は、異常ＳＴＢＹ状態となる。この場合、受信側ノード２０は、当該ＳＴＢＹメンバパスに関してＭＳＴ＝ＦＡＩＬを送信側ノード１０に送信する。
【００４４】
つまり、受信側ノード２０は、ＳＴＢＹ状態のメンバパスに関して、そのメンバパスが正常か異常かに関わらずＬＣＡＳプロトコルにおける状態通知情報の一例としてＭＳＴ＝ＦＡＩＬを送信側ノード１０へ送信する。したがって、送信側ノード１０は、ＳＴＢＹ状態のメンバパスが正常か異常かの区別を意識することなく、既存のＬＣＡＳプロトコルに基づく通信を行なえばよい。換言すれば、既存のＬＣＡＳプロトコルに改変を加えなくても済むから、通信制御が複雑化することもない。
【００４５】
さて、このような通常運用時において、図５に例示するように、ワークメンバパスのいずれか１又は複数（ｙメンバ分）のＡＣＴメンバパスにパス異常が発生したとする。この場合、図６に例示するように、異常の発生したＡＣＴメンバパス以外のパス（ｘ−ｙメンバ分のパス）については継続運用が可能ではあるものの、ＶＣＡＴの生成（組み立て）が不完全となるため、ワークメンバ全体としての通信は不能（切断状態）になる。
【００４６】
この場合、図５に例示するように、受信側ノード２０は、パス異常の発生したＡＣＴメンバパスを異常ＳＴＢＹ状態として、当該メンバパスに関してＣＴＲＬ＝ＦＡＩＬを送信側ノード１０に送信する。
【００４７】
送信側ノード１０は、ＣＴＲＬ＝ＮＯＲＭ又はＥＯＳを送信していたＡＣＴメンバパスに関して、前記ＭＳＴ＝ＦＡＩＬを受信側ノード２０から受信した場合、当該メンバパスをＶＣＡＴの生成から外し、そのメンバパスに関してＣＴＲＬ＝ＤＮＵを受信側ノード２０に送信する。これにより、異常メンバのパスは、ＶＣＡＴの生成から除外される。
【００４８】
送信側ノード１０は、図７に例示するように、残った正常なｘ−ｙ分のメンバパスに関してＶＣＡＴの生成を実施することで、通常運用を継続することもできるが、その場合、運用帯域が、除外されたｙメンバ分の帯域だけ減少する。
【００４９】
本例では、このような運用帯域の減少分を（正常）ＳＴＢＹメンバパスによって補填する。
すなわち、図５に例示するように、受信側ノード２０は、前記パス異常を検知すると、正常ＳＴＢＹメンバパスのいずれかに関してＭＳＴ＝ＯＫを送信側ノード１０に送信する。つまり、受信側ノード２０は、送信側ノード１０からの受信ＣＴＲＬ＝ＡＤＤ又はＤＮＵに対して送信側ノード１０へ送信していたＭＳＴ＝ＦＡＩＬをＭＳＴ＝ＯＫに変更する（書き換える）。
【００５０】
送信側ノード１０は、このＭＳＴ＝ＯＫを受信側ノード２０から受信した該当メンバパスをＡＣＴメンバパスとしてＶＣＡＴの生成に組み込む。また、送信側ノード１０は、当該ＡＣＴメンバパスに関してＣＴＲＬ＝ＮＯＲＭ又はＥＯＳを受信側ノード２０に送信する。これにより、パス異常の発生したパスの代わりにＳＴＢＹメンバパスがＡＣＴメンバパスとして補填され、パス異常の発生前と同じ運用帯域での運用が可能となる。
【００５１】
〔２〕実施例
以下、上述した動作を可能とするノード１０，２０の構成例について、図８及び図９を参照しながら詳述する。
【００５２】
図８は、ノード１０及び２０の構成例を示すブロック図である。この図８は、例示的に、ギガビットイーサネット（登録商標）のデータを、ＳＯＮＥＴ（又はＳＤＨ。以下、同様）の伝送路へ透過的（トランスペアレント）に伝送可能なノード１０（２０）の構成を示している。
【００５３】
図８に例示するように、ノード１０（２０）は、ＳＯＮＥＴからの信号（伝送フレーム）を受信する受信系３０の一例として、セクション／ライン受信部３１と、パス受信部３２と、ＶＣ組立部３３と、をそなえる。また、ノード１０（２０）は、ＳＯＮＥＴへの信号を送信する送信系４０の一例として、ＶＣ生成部４１と、パス送信部４２と、セクション／ライン送信部４３と、をそなえる。さらに、ノード１０（２０）は、前記送信系３０及び受信系４０での処理（ＬＣＡＳプロトコル処理を含む）を制御する制御系の一例として、ＬＣＡＳ制御部５０をそなえる。
【００５４】
送信系３０において、セクション／ライン受信部３１は、ＳＯＮＥＴから所定フォーマットを有する伝送フレームを受信して、前記伝送フレームにおけるオーバヘッド（セクションオーバヘッド及びラインオーバヘッド）を終端する機能や、ポインタ処理を実施する機能を具備する。なお、前記伝送フレームは、例えば、光レベルではＯＣ（Optical Carrier）−ｎ（ｎ＝３，４８，１９２等）、電気レベルではＳＴＳ（Synchronous Transport Signal）−ｎ等である。
【００５５】
前記伝送フレームのペイロード（ＳＰＥ）には、既述のとおり、１又は複数のパス信号を多重化することができる。例えば、ＳＴＳ−３フレームであればＳＴＳ−１パス信号を３個分多重することができ、ＳＴＳ−４８フレームであれば、ＳＴＳ−１パス信号を４８個分、あるいは、ＳＴＳ−３パス信号を１６個分ＳＰＥに多重することができる。各パス信号のＳＰＥにおける多重位置は、ＡＵポインタにより表示される。このように複数パスの信号が多重化されている場合には、それぞれの多重位置がＡＵポインタのポインタ処理によって特定されてパス受信部３２に転送される。なお、図８においては、＃１〜＃ｘのｘパス分のパス信号が得られる様子を例示している。
【００５６】
なお、「パス」は、所定帯域（５０Ｍｂｐｓ、１５０Ｍｂｐｓ、６００Ｍｂｐｓ、２．４Ｇｂｐｓ等）の論理的な通信路、「ライン」は、１又は複数の「パス」を束ねた多重伝送区間、「セクション」は、「ライン」を区切った中継区間にそれぞれ相当する。前記セクションオーバヘッド（ＳＯＨ）には、「セクション」を管理する情報を含むことができ、前記ラインオーバヘッド（ＬＯＨ）には、「ライン」を管理する情報を含むことができる。各パス信号には、パスオーバヘッド（ＰＯＨ）が用意され、「パス」を管理する情報を含むことができる。ＬＣＡＳプロトコルの制御情報は、このＰＯＨに含めることができる。
【００５７】
パス受信部３２は、セクション／ライン受信部３１から前記パス信号（＃１〜＃ｘ）を受信し、パス毎に、ＳＯＮＥＴ／ＳＤＨパスの状態を表す情報（アラーム情報など）やＬＣＡＳの制御情報（前記ＭＳＴが含まれる）を検出する機能を具備する。これらの情報は、例えばパス信号（ＶＣ信号）のＰＯＨに含まれており、ＬＣＡＳ制御部５０に通知される。
【００５８】
ＶＣ組立部３３は、パス受信部３２で処理されたパス信号のうちＶＣＧメンバパスの信号を基に個々のＶＣ信号を生成する（組み立てる）。この組み立てに用いるパス信号の指定（例えば、既述のＭＦＩ及びＳＱの指定）は、ＬＣＡ制御部５０によって行なわれる。なお、生成したＶＣ信号は、図示しないイーサネット処理部にて、generic framing procedure（ＧＦＰ）に基づくデカプセル化処理などの所定の処理を施される。
【００５９】
一方、送信系４０において、ＶＣ生成部４１は、図示しないイーサネット処理部でＧＦＰに基づくカプセル化処理などを施された信号を基にＶＣ信号（パス信号）を生成する。ＶＣ信号は、複数（例えばｘ個）生成することができる。生成すべきパス信号は、ＬＣＡＳ制御部５０から指定される。
【００６０】
パス送信部４２は、ＶＣ生成部４１で生成されたパス信号に、必要なＰＯＨを設定する。このＰＯＨに、ＬＣＡＳ制御部５０から与えられる制御情報（ＣＴＲＬ，ＭＳＴ等）を含めることができる。また、パス送信部４２は、いずれかのパス信号を仮想的にグループ化して連結（コンカチネーション）する。例えば、４つのＳＴＳ−１パス（５０Ｍｂｐｓ）を１つのＶＣＧとしてグループ化して連結することにより、１本の２００Ｍｂｐｓのパスを実現することができる。いずれのパス信号をいずれのＶＣＧメンバとして対応付けるべきかは、ＬＣＡＳ制御部５０から指定される。
【００６１】
セクション／ライン送信部４３は、パス送信部４２からの各パス信号を基にＳＯＮＥＴの伝送フレームを生成してＳＯＮＥＴ伝送路へ送信する。すなわち、各パス信号は、伝送フレームのＳＰＥにマッピングされ、必要なオーバヘッド（セクションオーバヘッド及びラインオーバヘッド）が付加されて、ＳＯＮＥＴ伝送路へ送信される。なお、ＳＰＥには、仮想連結されないＶＣ信号も含まれ得る。
【００６２】
ＬＣＡＳ制御部５０は、ＬＣＡＳプロトコルに基づいて上述したようなＶＣＧメンバパスに関する処理を制御する。
【００６３】
ＬＣＡＳ制御部５０の構成例を図９に示す。この図９に示すＬＣＡＳ制御部５０は、例示的に、ＭＳＴ終端部５０１と、パス状態受信部５０２と、ＣＴＲＬ終端部５０３と、組み立てパス選択部５０４と、ＬＣＡＳ受信制御部５０５と、をそなえる。また、このＬＣＡＳ制御部５０は、ＣＴＲ生成部５０６と、生成パス指定部５０７と、ＭＳＴ書き換え部５０８と、をさらにそなえる。さらに、ＬＣＡＳ制御部５０は、ワークメンバ数検出部５０９と、ワークパス検出部５１０と、プロテクションメンバ数検出部５１１と、プロテクションパス検出部５１２と、ＡＣＴ／ＳＴＢＹ制御部５１３と、ＬＣＡＳ送信制御部５１４と、ＭＳＴ生成部５１５と、をそなえる。
【００６４】
ＭＳＴ終端部５０１は、パス受信部３２からの受信ＬＣＡＳ制御情報を終端してＶＣＧメンバの状態情報（ＭＳＴ）を取得する。取得したＭＳＴは、ＬＣＡＳ送信制御部５１４に渡される。
【００６５】
パス状態受信部５０２は、パス受信部３２から受信されるパスの状態を表す情報（アラーム情報など）を受信し、ＬＣＡＳ受信制御部５０５、ＡＣＴ／ＳＴＢＹ制御部５１３及びＬＣＡＳ送信制御部５１４に転送する。
【００６６】
ＣＴＲＬ終端部５０３は、パス受信部３２からの受信ＬＣＡＳ制御情報を終端してＶＣＧメンバに関する制御情報（ＣＴＲＬ）を取得する。取得したＣＴＲＬは、ＬＣＡＳ受信制御部５０５、ＡＣＴ／ＳＴＢＹ制御部５１３及びＬＣＡＳ送信制御部５１４に渡される。
【００６７】
ＬＣＡＳ受信制御部５０５は、パス状態受信部５０２からの情報とＣＴＲＬ終端部５０３からの情報（ＣＴＲＬ）とに基づいて、ＶＣ組立部３３での組み立て対象とするパスを指定する情報を生成して、組み立てパス選択部５０４へ与える。パス状態受信部５０２からの情報が異常を表しているパスに関しては、前記組み立て対象からは除外される。
【００６８】
組み立てパス選択部５０４は、ＬＣＡＳ受信制御部５０５からの前記指定情報を基に、ＶＣ組立部３３での組み立て対象のパスを選択して、ＶＣ組立部３３に通知する。
【００６９】
ＣＴＲＬ生成部５０６は、ＬＣＡＳ送信制御部５１４からの指示に応じて、パス送信部４２で処理されるパス信号に対して設定すべきＣＴＲＬを生成し、パス送信部４２へ通知する。例えば、ＭＳＴ終端部５０１でＭＳＴ＝ＯＫが得られたパスに関しては、ＣＴＲＬ＝ＮＯＲＭ又はＥＯＳを生成する。
【００７０】
生成パス指定部５０７は、ＬＣＡＳ送信制御部５１４からの指示に応じて、ＶＣ生成部４１で生成すべきパス信号を指定する情報を生成して、ＶＣ生成部４１へ与える。
【００７１】
ワークメンバ数検出部５０９は、ＮＭＳ等の上位装置から受信されるワークメンバ数に関する設定情報を検出し、検出した設定情報をＬＣＡＳ送信制御部５１４に与える。
【００７２】
ワークパス検出部５１０は、ＮＭＳ等の上位装置から受信されるワークパスに関する設定情報（いずれのＶＣＧメンバパスをワークメンバパスに仮設定するか）を検出し、検出した設定情報をＬＣＡＳ送信制御部５１４に与える。
【００７３】
プロテクションメンバ数検出部５１１は、ＮＭＳ等の上位装置から受信されるプロテクションメンバ数に関する設定情報を検出し、検出した設定情報をＡＣＴ／ＳＴＢＹ制御部５１３に与える。
【００７４】
プロテクションパス検出部５１２は、同様に、ＮＭＳ等の上位装置から受信されるプロテクションパスに関する設定情報（いずれのＶＣＧメンバパスをプロテクションメンバパスに仮設定するか）を検出し、検出した設定情報をＡＣＴ／ＳＴＢＹ制御部５１３に与える。
【００７５】
ＡＣＴ／ＳＴＢＹ制御部５１３は、前記各検出部５０９〜５１２で得られた設定情報と、パス状態受信部５０２で得られたパス状態に関する情報と、ＣＴＲＬ終端部５０３で得られた受信ＬＣＡＳ制御情報（ＣＴＲＬ）と、に基づいて、ＶＣＧメンバパスのＡＣＴ／ＳＴＢＹ状態を管理（判定、制御）する。これにより、運用メンバパスの制御（追加、削除、切替）が可能となる。例えば、パス異常があると判定したメンバパスは異常ＳＴＢＹ状態とし、正常ＳＴＢＹ状態にあるパスをＡＣＴ状態として、運用メンバパスの変更（補填）を行なう。
【００７６】
ＭＳＴ生成部５１５は、ＬＣＡＳ送信制御部５１４からの指示に応じて送信ＬＣＡＳ情報（ＭＳＴ＝ＯＫ又はＦＡＩＬ）を生成する。例えば、ＣＴＲＬ終端部５０３で得られた受信ＬＣＡＳ制御情報（ＣＴＲＬ）がＡＤＤ又はＮＯＲＭ又はＥＯＳであるメンバパスに関してはＭＳＴ＝ＯＫを生成し、受信ＣＴＲＬがＩＤＬＥ又はＤＮＵであるメンバパスに関してはＭＳＴ＝ＦＡＩＬを生成する。
【００７７】
ＭＳＴ書き換え部５０８は、ＡＣＴ／ＳＴＢＹ制御部５１３での前記状態判定結果に応じて、ＬＣＡＳ送信制御部５１４で生成されたＭＳＴを書き換える。ＭＳＴの書き換えを行なうことで、既存のＬＣＡＳプロトコルに改変を加えなくても済むから、通信制御が複雑化することもない。
【００７８】
例えば、ＳＴＢＹ状態のＶＣＧメンバパスをＡＣＴ状態とする場合、そのメンバパスに関してはＭＳＴ＝ＦＡＩＬをＭＳＴ＝ＯＫに書き換える。なお、書き換えは必要ない場合もあるから、選択的に実施することができる。ＭＳＴは、パス送信部４２に設定される。これにより、パス送信部４２は、前記ＭＳＴを該当ＶＣＧメンバパスのパス信号の例えばＰＯＨに設定する。
【００７９】
つまり、本例のＡＣＴ／ＳＴＢＹ制御部５１３及びＭＳＴ書き換え部５０８は、ＶＣＧメンバパスのＡＣＴ状態とＳＴＢＹ状態とを管理する管理手段の一例として用いられる。また、これらの各部５１３，５０８は、ＡＣＴ状態にあるメンバパスのいずれかに異常があると、当該メンバパスの代わりに、ＳＴＢＹ状態にあるメンバパスのいずれかをＡＣＴ状態に制御する制御手段の一例として用いられる。
【００８０】
なお、ＡＣＴ／ＳＴＢＹ制御部５１３及びＭＳＴ書き換え部５０８は、ＬＣＡＳ送信制御部５１４の一機能として組み込んでもよい。また、前記の各検出部５０９〜５１２も、ＬＣＡＳ送信制御部５１４の一機能として組み込んでもよい。
【００８１】
ＬＣＡＳ送信制御部５１４は、ＬＣＡＳ受信制御部５０５と併せて、ＬＣＡＳプロトコルによる通信制御を行なう通信制御部の一例として用いられる。このＬＣＡＳ送信制御部５１４は、例示的に、ＭＳＴ終端部５０１、パス状態受信部５０２及びＣＴＲＬ終端部５０３で得られた各情報と、前記検出部５０９，５１０で検出された設定情報とに基づいて、ＣＴＲＬ生成部５０６、生成パス指定部５０７及びＭＳＴ生成部５１５のための情報をそれぞれ生成する。
【００８２】
例えば、ＬＣＡＳ送信制御部５１４は、ＭＳＴ終端部５０１で得られたＭＳＴがＯＫであるメンバパスに関してはＣＴＲＬ＝ＮＯＲＭ又はＥＯＳを生成し、ＦＡＩＬであるメンバパスに関してはＣＴＲＬ＝ＩＤＬＥ又はＤＮＵを生成するようにＣＴＲＬ生成部５０６に指示を与える。
【００８３】
また、パス状態受信部５０２で得られた情報がパス障害の発生を表す情報であった場合、ＬＣＡＳ送信制御部５１４は、パス障害の生じているメンバパスを除外するよう生成パス指定部４１に指示する。さらに、ＣＴＲＬ終端部５０３で得られたＣＴＲＬがＡＤＤ又はＮＯＲＭ又はＥＯＳであった場合はＭＳＴ＝ＯＫを生成し、前記ＣＴＲＬがＩＤＬＥ又はＤＮＵであった場合はＭＳＴ＝ＦＡＩＬを生成するようにＭＳＴ生成部５１５に指示を与える。
【００８４】
以下、上述の構成を有するノード１０（２０）の動作について、図１０〜図１４に示すフローチャートを用いて説明する。
【００８５】
（２．１）初期設定フロー（図１０）
図１０に例示するように、ノード１０（２０）は、ＮＭＳ等の上位装置からＶＣＧメンバ数（ワーク／プロテクションメンバパス数）、運用パス（ＶＣＧメンバパスのいずれをワークメンバパスとするか）に関する設定情報を受信する（処理１００１）。この設定情報は、前記の各検出部５０９〜５１２にて検出されて、ＡＣＴ／ＳＴＢＹ制御部５１３に与えられる。
【００８６】
ＡＣＴ／ＳＴＢＹ制御部５１３は、前記設定情報を受けると、前記上位装置から指定されたパス数を超えない範囲で、ワーク及びプロテクションメンバパスのＡＣＴ／ＳＴＢＹ状態を仮設定する。例えば、ワークメンバパスはＡＣＴ状態（Work=ACT）、プロテクションメンバパスはＳＴＢＹ状態（Prot=STBY）とする（処理１００２）。
【００８７】
次いで、ＡＣＴ／ＳＴＢＹ制御部５１３は、図１１に例示する障害判定フローに従って、ＡＣＴ／ＳＴＢＹ状態の判定、更新処理を実施する（処理１００３）。なお、この図１１に示すフローは、ＶＣＧメンバの各パスについて実施される。
【００８８】
すなわち、ＡＣＴ／ＳＴＢＹ制御部５１３は、パス状態受信部５０２で得られた情報を基にＶＣＧメンバの各パスに障害が発生しているか否かを監視し（処理１３０１）、対象のＶＣＧメンバパスにパス障害が発生していなければ（処理１３０１のＮルート）、当該メンバパスがＡＣＴ状態にあるか否かを確認する（処理１３０２）。
【００８９】
その結果、対象のＶＣＧメンバパスがＡＣＴ状態にあれば（処理１３０２のＹルート）、ＡＣＴ／ＳＴＢＹ制御部５１３は、当該メンバパスに関して、ＣＴＲＬ＝ＡＤＤ又はＮＯＲＭ又はＥＯＳを受信しているか否かを、ＣＴＲＬ終端部５０３で得られた情報を基に確認する（処理１３０３）。
【００９０】
ＣＴＲＬ＝ＡＤＤ又はＮＯＲＭ又はＥＯＳを受信していれば（処理１３０３のＹルート）、ＡＣＴ状態にある対象メンバパスが正常であると確認でき、ＡＣＴ／ＳＴＢＹ制御部５１３は、対象メンバパスがワークメンバパスであるか否かを確認する（処理１３０４）。
【００９１】
その結果、ＡＣＴ／ＳＴＢＹ制御部５１３は、ワークメンバパスであれば（処理１３０４のＹルート）、当該ワークメンバパスをＡＣＴ状態とし、ＭＳＴ書き換え部５０８に対して、ＭＳＴ＝ＯＫの生成、送信を指示する（処理１３０５）。
【００９２】
一方、対象メンバパスがワークメンバパスでなければ、つまり、プロテクションメンバパスであれば（処理１３０４のＮルート）、ＡＣＴ／ＳＴＢＹ制御部５１３は、当該プロテクションメンバパスをＡＣＴ状態とし、ＭＳＴ書き換え部５０８に対して、ＭＳＴ＝ＯＫの生成、送信を指示する（処理１３０６）。
【００９３】
ところで、前記処理１３０２において、対象メンバパスがＡＣＴ状態でない、つまりＳＴＢＹ状態にある場合（処理１３０２のＮルート）、ＡＣＴ／ＳＴＢＹ制御部５１３は、対象メンバパスに関してＣＴＲＬ＝ＡＤＤ又はＤＮＵを受信しているか否かを、ＣＴＲＬ終端部５０３で得られた情報を基に確認する（処理１３０７）。
【００９４】
その結果、ＣＴＲＬ＝ＡＤＤ又はＤＮＵを受信していれば（処理１３０７のＹルート）、ＳＴＢＹ状態にある対象メンバパスの正常性が確認され、ＡＣＴ／ＳＴＢＹ制御部５１３は、対象メンバパスがワークメンバパスか否かを確認する（処理１３０８）。
【００９５】
対象メンバパスがワークメンバパスであれば（処理１３０８のＹルート）、ＡＣＴ／ＳＴＢＹ制御部５１３は、当該ワークメンバパスをＡＣＴ状態に設定可能な正常ＳＴＢＹ状態とし、ＭＳＴ書き換え部５０８に対して、ＭＳＴ＝ＦＡＩＬの生成、送信を指示する（処理１３０９）。
【００９６】
一方、対象メンバパスがワークメンバパスでなければ、つまり、プロテクションメンバパスであれば（処理１３０８のＮルート）、ＡＣＴ／ＳＴＢＹ制御部５１３は、当該プロテクションメンバパスをＡＣＴ状態に設定可能な正常ＳＴＢＹ状態とし、ＭＳＴ書き換え部５０８に対して、ＭＳＴ＝ＦＡＩＬの生成、送信を指示する（処理１３１０）。
【００９７】
また、前記処理１３０１において対象メンバパスにパス障害が検出された場合や、前記処理１３０３又は処理１３０７において対象メンバパスの正常性が確認できない場合（処理１３０１、処理１３０３及び処理１３０７のＮルート）、ＡＣＴ／ＳＴＢＹ制御部５１３は、異常検出保護機能の有無を確認する（処理１３１１）。
【００９８】
なお、前記処理１３０３又は処理１３０７において対象メンバパスの正常性が確認できない場合としては、既述のように、パス信号の品質劣化等により受信エラーが生じている場合、ＬＣＡＳプロトコル通信の異常などが挙げられる。
【００９９】
異常検出保護機能が有れば（処理１３１１のＹルート）、ＡＣＴ／ＳＴＢＹ制御部５１３は、所定の時間（設定時間：例えば、ｎミリ秒）が経過するまで、前記処理１３０１以降の処理を繰り返す（処理１３１３のＮルート）。
【０１００】
一方、前記設定時間が経過しても、対象メンバパスの正常性が確認できなければ（処理１３１３のＹルート）、ＡＣＴ／ＳＴＢＹ制御部５１３は、対象メンバパスをＡＣＴ状態に設定できない異常ＳＴＢＹ状態とし、ＭＳＴ書き換え部５０８に対して、ＭＳＴ＝ＦＡＩＬの生成、送信を指示する（処理１３１２）。
【０１０１】
また、前記異常検出保護機能が無ければ（処理１３１１のＮルート）、ＡＣＴ／ＳＴＢＹ制御部５１３は、前記設定時間の経過を待たずに、対象メンバパスをＡＣＴ状態に設定できない異常ＳＴＢＹ状態とし、ＭＳＴ書き換え部５０８に対して、ＭＳＴ＝ＦＡＩＬの生成、送信を指示する（処理１３１２）。
【０１０２】
つまり、ＡＣＴメンバパス又はＳＴＢＹメンバパスの正常判定から異常判定への遷移は、正常判定条件が外れた場合に一定時間の継続を待たずに直ちに行なうこともできるし、正常判定条件の外れた状態が所定時間継続した場合に行なうこともできる。前記所定時間は、ＮＭＳ等の上位装置から設定可能である。
【０１０３】
以上の障害判定フロー（処理１３０１〜１３１３）を実施することで、ワーク及びプロテクションメンバパスのＡＣＴ／ＳＴＢＹ状態を最新の状態に更新することが可能となる。ただし、この障害判定フローは、初期設定フローにおいては実施しないこととすることもできる。
【０１０４】
なお、ＡＣＴ／ＳＴＢＹ制御部５１３は、ＳＴＢＹ状態のメンバパスのうち、正常と判定したメンバパスと、異常と判定したメンバパスとを識別し、メンバパス毎にＮＭＳなどの上位装置へ正常／異常の状態通知を行なうこともできる。これにより、スタンバイ状態にあるメンバパスであってもパスの正常性を上位装置（ユーザ）で確認することが可能となる。
【０１０５】
次いで、図１０に例示するように、ＡＣＴ／ＳＴＢＹ制御部５１３は、ＡＣＴ状態にあるメンバパス数が上位装置から指定されたワークメンバパス数と一致しているか否かを確認し（処理１００４）、一致していれば、図１２に例示する通常フローを実施する（処理１００４のＹルートから処理１００６）。一致していなければ、ＡＣＴ／ＳＴＢＹ制御部５１３は、正常ＳＴＢＹ状態にある１メンバパスをＡＣＴ状態としてＡＣＴメンバパス数を追加する（処理１００４のＮルートから処理１００５）。
【０１０６】
この追加処理は、ＡＣＴメンバパス数が前記指定されたワークメンバパス数と一致するまで繰り返し実施される。つまり、ＡＣＴ／ＳＴＢＹ制御部５１３は、ＡＣＴメンバパス数が上位装置から設定されたワークメンバパス数と一致するように、正常ＳＴＢＹ状態にあるパスを１パスずつＡＣＴ状態に遷移させることで、設定ワークメンバパス数の保持（維持）を可能とする。
【０１０７】
なお、ＳＴＢＹメンバパスについても、ＳＴＢＹメンバパス数が指定のプロテクションメンバパス数と一致するように制御することができる。ただし、異なるメンバパス数となってもよい。
【０１０８】
（２．２）通常フロー（図１２）
次に、前記初期設定フローの処理１００６における処理について説明する。
図１２に例示するように、ＡＣＴ／ＳＴＢＹ制御部５１３は、図１１に例示した障害判定フロー（処理１３０１〜１３１３）を実施し（処理１６０１）、ＡＣＴ状態にあるメンバパス数が指定のワークメンバ数と一致しているか否かを確認する（処理１６０２）。
【０１０９】
その結果、一致していなければ（処理１６０２のＮルート）、ＡＣＴ／ＳＴＢＹ制御部５１３は、正常ＳＴＢＹ状態にあるワークメンバパスの有無を確認する（処理１６０３）。正常ＳＴＢＹ状態にあるワークメンバパスが１又は複数有れば（処理１６０３のＹルート）、ＡＣＴ／ＳＴＢＹ制御部５１３は、正常ＳＴＢＹ状態にある１ワークメンバパスをＡＣＴ状態として（処理１６０４）、前記処理１６０１以降の処理を実施する。
【０１１０】
一方、正常ＳＴＢＹ状態にあるワークメンバパスが無ければ（処理１６０３のＮルート）、ＡＣＴ／ＳＴＢＹ制御部５１３は、正常ＳＴＢＹ状態にある１プロテクションメンバパスをＡＣＴ状態として（処理１６０５）、前記処理１６０１以降の処理を実施する。
【０１１１】
つまり、ＡＣＴ／ＳＴＢＹ制御部５１３は、ＡＣＴ状態にあるメンバパス数が指定のワークメンバ数と一致していなければ、一致するまで（処理１６０２でＹと判定されるまで）、正常ＳＴＢＹ状態にあるワーク又はプロテクションメンバパスを１パスずつＡＣＴ状態に設定して、ＡＣＴメンバパスを追加する。
【０１１２】
これにより、既述の初期設定フローと同様に、上位装置から設定されたワークメンバパス数の保持（維持）が可能となる。また、異常の生じたメンバパスの代わりにアクティブ状態に制御される対象は、異常ＳＴＢＹ状態のメンバパスを除外した正常ＳＴＢＹ状態のメンバパスであるから、パス切替制御の信頼性も向上する。
【０１１３】
なお、上述した例は、ＡＣＴメンバパスとしてワークメンバパスのいずれかを優先的に追加する例であるが、プロテクションメンバパスのいずれかを優先的に追加してもよい。また、他のルールに従って、ＡＣＴメンバパスとして追加するパスを決定してもよい。例えば、ワークメンバパスのいずれかとプロテクションメンバパスのいずれかとを交互に追加対象とすることも可能である。
【０１１４】
また、前記処理１６０２において、ＡＣＴメンバパス数と指定のワークメンバパス数とが一致している場合（処理１６０２のＹルート）、ＡＣＴ／ＳＴＢＹ制御部５１３は、パス障害復旧後に、パス障害発生により異常ＳＴＢＹ状態となった元のワークメンバパスをＡＣＴ状態に戻す必要があるか否かを確認する（処理１６０６）。
【０１１５】
必要なければ（処理１６０６のＮルート）、ＡＣＴ／ＳＴＢＹ制御部５１３は、現状のＶＣＧメンバパスのＡＣＴ／ＳＴＢＹ状態を変更せず、ワークメンバパスかプロテクションメンバパスかに関係なく、現状の状態を維持する（処理１６１０）。つまり、パス障害の発生により代わりにＡＣＴ状態となったメンバパスがそのままＡＣＴ状態を維持する。
【０１１６】
一方、元のワークメンバパスをＡＣＴ状態に戻す必要があれば（処理１６０６のＹルート）、ＡＣＴ／ＳＴＢＹ制御部５１３は、初期設定時（パス障害発生前）において正常ＳＴＢＹ状態のワークメンバパスが無かった場合、ワークメンバパスに正常ＳＴＢＹ状態のメンバパスが存在するか否かを確認する（処理１６０６のＹルートから処理１６０７）。
【０１１７】
その結果、ワークメンバパスに正常ＳＴＢＹ状態のメンバパスが有れば（処理１６０７のＹルート）、ＡＣＴ／ＳＴＢＹ制御部５１３は、当該ワークメンバパスをＡＣＴ状態とするとともに、当該ワークメンバパスの代わりにＡＣＴ状態となったメンバパスをＳＴＢＹ状態とする（処理１６０８及び処理１６０９）。
【０１１８】
ＡＣＴ／ＳＴＢＹ制御部５１３は、かかる状態変更処理を、正常ＳＴＢＹ状態のワークメンバパスが無くなるまで（処理１６０７でＮと判定されるまで）、１メンバパスずつ繰り返す。
【０１１９】
つまり、ＡＣＴ／ＳＴＢＹ制御部５１３は、異常の生じた元のメンバパスが復旧した場合に、当該パスをアクティブ状態に制御することと、当該パスの代わりにアクティブ状態に制御したパスのアクティブ状態を維持すること、とを選択的に実施することができる。このような切り戻し処理の要否（選択的実施）は、例えば、前記上位装置から設定することが可能である。
【０１２０】
（２．３）ＶＣＧメンバパス設定変更フロー（図１３、図１４）
次に、前記上位装置から指示に応じて、ＶＣＧメンバパスの設定を変更する例について、図１３及び図１４を用いて説明する。なお、図１３はワークメンバパスの設定変更フロー、図１４はプロテクションメンバパスの設定変更フローをそれぞれ示している。
【０１２１】
（２．３．１）ワークメンバパス設定変更フロー（図１３）
図１３に例示するように、ノード１０（２０）は、前記上位装置からワークメンバパス数に関する設定変更情報を受信する（処理１０１１）。この設定情報は、前記のワークメンバ数検出部５０９にて検出されて、ＡＣＴ／ＳＴＢＹ制御部５１３に与えられる。
【０１２２】
ＡＣＴ／ＳＴＢＹ制御部５１３は、前記設定変更情報を受けると、指定のワークメンバパス数がそれまでの設定よりも増加するか減少するかを確認する（処理１０１２）。増加するなら、ＡＣＴ／ＳＴＢＹ制御部５１３は、増加分の新ワークメンバパスをＡＣＴ状態に仮設定して（処理１０１２の「増加」ルートから処理１０１３）、図１２により説明した通常フロー（処理１６０１〜１６１０）を実施する（処理１０１４）。
【０１２３】
つまり、ワークメンバパス数の増加設定時には、ＡＣＴ／ＳＴＢＹ制御部５１３は、上位装置から指定された新ワークメンバパスをＡＣＴメンバパスと仮設定し、その後の障害の有無に応じて各メンバパスのＡＣＴ／ＳＴＢＹ状態を制御する。その際、ＡＣＴメンバパス数＝指定のワークメンバパス数となるように制御することができる。
【０１２４】
一方、指定のワークメンバパス数がそれまでの設定よりも減少するなら、ＡＣＴ／ＳＴＢＹ制御部５１３は、図１１に例示した障害判定フロー（処理１３０１〜１３１４）を実施する（処理１０１２の「減少」ルートから処理１０１５）。すなわち、各メンバパスのＡＣＴ／ＳＴＢＹ状態を最新の状態に更新する。この更新を行なった上で、ＡＣＴ／ＳＴＢＹ制御部５１３は、ＡＣＴメンバパス数が前記設定変更情報により指定された新ワークメンバパス数と一致しているか否かを確認する（処理１０１６）。
【０１２５】
その結果、一致していれば（処理１０１６のＹルート）、ＡＣＴ／ＳＴＢＹ制御部５１３は、図１２により説明した通常フロー（処理１６０１〜１６１０）を実施する（処理１０１４）。ＡＣＴメンバパス数が新ワークメンバパス数と一致していなければ（処理１０１６のＮルート）、ＡＣＴ／ＳＴＢＹ制御部５１３は、一致するまで（処理１０１６でＹと判定されるまで）、ＡＣＴ状態にあるメンバパスを１パスずつＳＴＢＹ状態とする（処理１０１７）。
【０１２６】
このように、ワークメンバパス数の減少時は、ＡＣＴメンバパス数を１メンバパスずつＳＴＢＹ状態へ移行させ、ＡＣＴメンバパス数＝指定のワークメンバパス数となった時点で、ワークメンバパス数の減少設定完了とすることができる。
【０１２７】
（２．３．２）プロテクションメンバパス設定変更フロー（図１４）
図１４に例示するように、ノード１０（２０）は、前記上位装置からプロテクションメンバパス数に関する設定変更情報を受信する（処理１０２１）。この設定情報は、前記のプロテクションメンバ数検出部５１１にて検出されて、ＡＣＴ／ＳＴＢＹ制御部５１３に与えられる。
【０１２８】
ＡＣＴ／ＳＴＢＹ制御部５１３は、前記設定変更情報を受けると、指定のプロテクションメンバパス数がそれまでの設定よりも増加するか減少するかを確認する（処理１０２２）。増加するなら、ＡＣＴ／ＳＴＢＹ制御部５１３は、増加分の新プロテクションメンバパスをＳＴＢＹ状態に仮設定して（処理１０２２の「増加」ルートから処理１０２３）、図１２により説明した通常フロー（処理１６０１〜１６１０）を実施する（処理１０２４）。
【０１２９】
つまり、プロテクションメンバパス数の増加設定時には、ＡＣＴ／ＳＴＢＹ制御部５１３は、上位装置から指定された新プロテクションメンバパスをＳＴＢＹメンバパスと仮設定し、その後の障害の有無に応じて各メンバパスのＡＣＴ／ＳＴＢＹ状態を制御する。その際、ＳＴＢＹメンバパス数＝指定のプロテクションメンバパス数となるように制御することができる。
【０１３０】
一方、指定の新プロテクションメンバパス数がそれまでの設定よりも減少するなら、ＡＣＴ／ＳＴＢＹ制御部５１３は、図１１に例示した障害判定フロー（処理１３０１〜１３１４）を実施する（処理１０２２の「減少」ルートから処理１０２５）。すなわち、各メンバパスのＡＣＴ／ＳＴＢＹ状態を最新の状態に更新する。この更新を行なった上で、ＡＣＴ／ＳＴＢＹ制御部５１３は、ＳＴＢＹメンバパス数が前記設定変更情報により指定された新プロテクションメンバパス数と一致しているか否かを確認する（処理１０２６）。
【０１３１】
その結果、一致していれば（処理１０２６のＹルート）、ＡＣＴ／ＳＴＢＹ制御部５１３は、図１２により説明した通常フロー（処理１６０１〜１６１０）を実施する（処理１０２４）。ＳＴＢＹメンバパス数が新プロテクションメンバパス数と一致していなければ（処理１０２６のＮルート）、ＡＣＴ／ＳＴＢＹ制御部５１３は、一致するまで（処理１０２６でＹと判定されるまで）、ＳＴＢＹ状態にあるメンバパスを１パスずつ削除する（処理１０２７）。
【０１３２】
このように、プロテクションメンバ数の減少時は、ＳＴＢＹメンバパスを１メンバパスずつＶＣＧメンバから削除し、ＳＴＢＹメンバパス数＝指定のプロテクションメンバパス数となった時点で、プロテクションメンバパス数の減少設定完了とすることができる。
【０１３３】
その際、どのＳＴＢＹメンバパスを削除するかは、上位装置からの設定としてもよいし、異常ＳＴＢＹ状態にあるメンバパスを自動的に削除することとしてもよい。
【０１３４】
なお、図１３及び図１４に例示した設定変更フローにおいて、障害判定フローは実施しないこととしてもよい。
【０１３５】
以上詳述したように、本実施形態によれば、運用中のＶＣＧメンバパスのいずれか１又は複数にパス障害が発生した場合に、パス障害の発生したパス数分の非運用状態（正常ＳＴＢＹ状態）のパスを運用（ＡＣＴ）状態として補填することが可能である。したがって、パス障害発生前後で運用帯域が大きく変動（増減）することを防ぐことが可能となる。
【０１３６】
また、前記補填に用いる正常ＳＴＢＹ状態のメンバパスは、ワークメンバパス及びプロテクションメンバパスのいずれでもよいので、ＶＣＧメンバパスのワーク／プロテクション設定によらない、自由な組み合わせでのパスレベルの冗長化を図ることができる。したがって、ネットワーク構成に応じて帯域の利用効率を最適化することが可能な冗長構成を実現できる。
以上の項目〔１〕及び〔２〕に例示した実施形態に関し、さらに以下の付記を開示する。
【０１３７】
〔３〕付記
（付記１）
論理的な通信路である複数のパスを伝送される各パス信号を仮想的に連結して仮想連結グループを形成する伝送システムにおいて、
前記仮想連結グループのメンバパスのアクティブ状態とスタンバイ状態とを管理する管理手段と、
前記アクティブ状態にあるメンバパスのいずれかに異常があると、当該メンバパスの代わりに、前記スタンバイ状態にあるメンバパスのいずれかをアクティブ状態に制御する制御手段と、
をそなえたことを特徴とする、伝送システム。
【０１３８】
（付記２）
論理的な通信路である複数のパスを伝送される各パス信号を仮想的に連結して仮想連結グループを形成する伝送システムにおけるパス制御方法であって、
前記仮想連結グループのメンバパスのアクティブ状態とスタンバイ状態とを管理し、
前記アクティブ状態にあるメンバパスのいずれかに異常があると、当該メンバパスの代わりに、前記スタンバイ状態にあるメンバパスのいずれかをアクティブ状態に制御する、
ことを特徴とする、パス制御方法。
【０１３９】
（付記３）
論理的な通信路である複数のパスを伝送される各パス信号を仮想的に連結して仮想連結グループを形成する送信側の伝送装置から前記パス信号を受信する受信側の伝送装置であって、
前記仮想連結グループのメンバパスのアクティブ状態とスタンバイ状態とを管理する管理手段と、
前記アクティブ状態にあるメンバパスのいずれかに異常があると、当該メンバパスの代わりに、前記スタンバイ状態にあるメンバパスのいずれかをアクティブ状態に制御する制御手段と、
をそなえたことを特徴とする、伝送装置。
【０１４０】
（付記４）
前記アクティブ状態は、link capacity adjustment scheme（ＬＣＡＳ）プロトコルにおけるメンバパスの状態通知情報としてＯＫを、前記送信側の伝送装置へ送信する状態であり、
前記スタンバイ状態は、前記メンバパスが正常か異常かに関わらず前記状態通知情報としてＦＡＩＬを前記送信側の伝送装置へ送信する状態である、
ことを特徴とする、付記３記載の伝送装置。
【０１４１】
（付記５）
前記制御手段は、
前記アクティブ状態のメンバパス数が前記異常の発生前後で一定数となるように前記制御を実施する、ことを特徴とする、付記３又は４に記載の伝送装置。
【０１４２】
（付記６）
前記一定数は、上位装置から設定可能である、ことを特徴とする、付記５記載の伝送装置。
【０１４３】
（付記７）
前記管理手段は、
前記アクティブ状態にあるメンバパスに関して、前記送信側の伝送装置から、パス障害の発生を示す情報を受信せず、かつ、link capacity adjustment scheme（ＬＣＡＳ）プロトコルにおける、ＡＤＤ又はＮＯＲＭ又はＥＯＳコマンドを受信していることをもって、前記アクティブ状態のメンバパスの正常性を確認する、ことを特徴とする、付記３〜６のいずれか１項に記載の伝送装置。
【０１４４】
（付記８）
前記制御手段は、
前記正常性が確認できない場合に、直ちに、あるいは、前記確認できない状態が所定時間継続した場合に、前記アクティブ状態のメンバパスが異常であると判定する、ことを特徴とする、付記７記載の伝送装置。
【０１４５】
（付記９）
前記管理手段は、
前記スタンバイ状態にあるメンバパスに関して、前記送信側の伝送装置から、パス障害の発生を示す情報を受信せず、かつ、link capacity adjustment scheme（ＬＣＡＳ）プロトコルにおける、ＡＤＤ又はＤＮＵコマンドを受信していることをもって、前記スタンバイ状態のメンバパスの正常性を確認する、ことを特徴とする、付記３〜８のいずれか１項に記載の伝送装置。
【０１４６】
（付記１０）
前記制御手段は、
前記スタンバイ状態のメンバパスの正常性が確認できない場合に、直ちに、あるいは、前記確認できない状態が所定時間継続した場合に、前記スタンバイ状態のメンバパスが異常であると判定する、ことを特徴とする、付記９記載の伝送装置。
【０１４７】
（付記１１）
前記制御手段は、
前記異常と判定したスタンバイ状態のメンバパスは前記アクティブ状態への制御の対象から除外する、ことを特徴とする、付記１０記載の伝送装置。
【０１４８】
（付記１２）
前記管理手段は、
前記スタンバイ状態のメンバパス毎の正常／異常判定結果を外部装置へ通知する、ことを特徴とする、付記１０又は１１に記載の伝送装置。
【０１４９】
（付記１３）
前記制御手段は、
前記異常が生じたメンバパスが復旧した場合に、当該メンバパスをアクティブ状態に戻すことと、当該メンバパスの代わりにアクティブ状態に制御したメンバパスのアクティブ状態を維持すること、とを選択的に実施する、ことを特徴とする、付記３〜１２のいずれか１項に記載の伝送装置。
【０１５０】
（付記１４）
前記選択的な実施は、上位装置から設定可能である、ことを特徴とする、付記１３記載の伝送装置。
【図面の簡単な説明】
【０１５１】
【図１】一実施形態に係るノード間において送受信されるＬＣＡＳプロトコルの制御情報の一例を示す図である。
【図２】通常時のＶＣＧメンバ構成例を模式的に示す図である。
【図３】パス障害発生時のＶＣＧメンバ構成例を模式的に示す図である。
【図４】通常時のＬＣＡＳプロトコルの制御情報の送受信例を模式的に示す図である。
【図５】パス障害発生時のＬＣＡＳプロトコルの制御情報の送受信例を模式的に示す図である。
【図６】パス障害発生時の現行のＶＣＧ運用例を説明する模式図である。
【図７】パス障害発生時の現行のＶＣＧ運用例を説明する模式図である。
【図８】本実施形態に係るノードの構成例を示すブロック図である。
【図９】図８に示すＬＣＡＳ制御部の構成例を示すブロック図である。
【図１０】図８及び図９に示すノードの動作（初期設定フロー）を説明するフローチャートである。
【図１１】図８及び図９に示すノードの動作（障害判定フロー）を説明するフローチャートである。
【図１２】図８及び図９に示すノードの動作（通常フロー）を説明するフローチャートである。
【図１３】図８及び図９に示すノードの動作（ワークメンバパス設定変更定フロー）を説明するフローチャートである。
【図１４】図８及び図９に示すノードの動作（プロテクションメンバパス設定変更フロー）を説明するフローチャートである。
【符号の説明】
【０１５２】
１０，２０  ノード（伝送装置）
３０  受信系
３１  セクション／ライン受信部
３２  パス受信部
３３  ＶＣ組立部
４０  送信系
４１  ＶＣ生成部
４２  パス送信部
４３  セクション／ライン送信部
５０  ＬＣＡＳ制御部
５０１  ＭＳＴ終端部
５０２  パス状態受信部
５０３  ＣＴＲＬ終端部
５０４  組み立てパス選択部
５０５  ＬＣＡＳ受信制御部
５０６  ＣＴＲＬ生成部
５０７  生成パス指定部
５０８  ＭＳＴ書き換え部
５０９  ワークメンバ数検出部
５１０  ワークパス検出部
５１１  プロテクションメンバ数検出部
５１２  プロテクションパス検出部
５１３  ＡＣＴ／ＳＴＢＹ制御部
５１４  ＬＣＡＳ送信制御部
５１５  ＭＳＴ生成部
【図１】
0005051000.tif 000002
【図２】
0005051000.tif 000003
【図３】
0005051000.tif 000004
【図４】
0005051000.tif 000005
【図５】
0005051000.tif 000006
【図６】
0005051000.tif 000007
【図７】
0005051000.tif 000008
【図８】
0005051000.tif 000009
【図９】
0005051000.tif 000010
【図１０】
0005051000.tif 000011
【図１１】
0005051000.tif 000012
【図１２】
0005051000.tif 000013
【図１３】
0005051000.tif 000014
【図１４】
0005051000.tif 000015